(57)【特許請求の範囲】
【請求項１】
手摺パイプと、該手摺パイプを適宣間隔で挿通抱持する環状の手摺保持ブラケットと、壁等の設置面に対して手摺保持ブラケットを固定する固定ブラケットとからなる手摺取付装置において、手摺保持ブラケットは手摺パイプの外径よりも大きな内径の抱持部と、手摺保持ブラケットと固定ブラケットとの固定を行う取付部とからなり、該抱持部は内面に設けられた突起と、僅かな隙間を持つ開放部とを有し、該取付部は該固定ブラケットに螺合する固定ボルトを挿通する貫通穴を有し、該手摺パイプには該突起と対応する位置に嵌合穴を開設し、該取付部に挿通された固定ボルトを締め付けることにより、該開放部の隙間を狭めて該抱持部の突起と該手摺パイプの嵌合穴とを嵌合して固定する事を特徴とする手摺取付装置。
【請求項２】
前記手摺パイプの嵌合穴は、該手摺パイプ単位部材相互の突き合せ位置に開設する際、隣接する該手摺パイプ単位部材の端部を跨いで開設するとともに、連結パイプにより、隣接する該手摺パイプ相互を固定する事を特徴とする請求項１記載の手摺取付装置。
【請求項３】
前記手摺パイプの嵌合穴は、該手摺パイプ単位部材相互の突き合せ位置に開設する際、隣接する該手摺パイプ単位部材の端部の少なくとも一辺を含む様に開設するとともに、連結パイプにより、隣接する該手摺パイプ相互を固定する事を特徴とする請求項１記載の手摺取付装置。
【発明の詳細な説明】
【０００１】
【発明の属する技術分野】
本発明は、建物用手摺において、手摺パイプを壁等の設置面に取付ける為の手摺取付装置の改良に関する。
【０００２】
【従来の技術】
本発明にかかる出願人は、本発明に関連する手摺取付装置を実開昭４８−９８９２１として出願している。  該当公報記載の手摺取付装置は、図１６で示す様に、手摺パイプａと、手摺パイプａを挿通抱持する環状の手摺保持ブラケットｂと、壁等の設置面Ｗに対して手摺保持ブラケットｂを固定する固定ブラケットｃから構成されている。  環状の手摺保持ブラケットｂには開放された部分ｄ、ｄ′があり、開放部ｄ、ｄ′の隙間をボルトｅにより閉じる構造になっている。開放部ｄ、ｄ′の隙間をボルトｅにより閉じて手摺保持ブラケットａを締付ける事により手摺パイプａが抱持締結される。  しかしながら、この手摺取付装置は、手摺保持ブラケットａをいくら強く締付けて抱持させても、手摺パイプａと手摺保持ブラケットｂとの接触面が完全に密着せず空隙が生じる。  したがって、手摺パイプａと手摺保持ブラケットｂ接触面の摩擦力以上の力が加わった場合や抱持する為の締付けが緩い場合、手摺パイプａは回転したり、軸方向へずれが起き、手摺の利用者が手摺パイプａをつかんだ際に体勢を崩す事態が考えられる。
【０００３】
【発明が解決しようとする課題】
本発明は前記した欠点を解消する為に開発され、即ち、手摺保持ブラケットが手摺パイプを締付ける力以上の力が加えられた場合や抱持する為の締付けが緩い場合でも、手摺パイプの回転や軸方向のずれを確実に防止する手摺取付装置を提供する事にある。
【０００４】
【課題を解決するための手段】
前記課題を解決する為に、本発明による手摺取付装置は、環状の手摺保持ブラケット内面に突起を設けるとともに手摺パイプへ手摺保持ブラケットの突起と対応する位置に嵌合穴を開設し、手摺パイプを手摺保持ブラケットで締付けて抱持させる事により、手摺保持ブラケット内面の突起が手摺パイプの嵌合穴に嵌合して両者を固定する様にした事を特徴とする。
【０００５】
【発明の実施の形態】
本発明の実施の形態について添付図面を参照して説明する。
図１において符合１は手摺パイプであり、２は手摺パイプ１を挿通抱持する手摺保持ブラケット、３は壁等の設置面Ｗに対して手摺保持ブラケット２を固定する固定ブラケットを示す。
【０００６】
図２から図３で示す様に、手摺パイプ１は軸方向の任意の箇所に嵌合穴４、４′を有し、嵌合穴４、４′は対向状に設けられている。
【０００７】
手摺保持ブラケット２は環状で手摺パイプ１の外径より若干大きな内径の抱持部５と、手摺保持ブラケット２と固定ブラケット３との固定を行う取付部６、６′から成る。  前記抱持部５は、内面に対向状に設けられた突起７、７′と、僅かな隙間を持つ開放部８から形成される。  また、前記取付部６、６′には、手摺保持ブラケット２と固定ブラケット３との固定を行う固定ボルト９を挿通し、取付部６に固定ボルト９の頭部が係る形状の貫通穴１０が設けられている。
【０００８】
固定ブラケット３には、手摺保持ブラケット２の貫通穴１０を挿通した固定ボルト９を螺合して受入れる、雌ネジ部１１が設けられ、手摺パイプ１と手摺保持ブラケット２を壁等の設置面Ｗに固定する。
【０００９】
各部材の取付手順は、手摺パイプ１を手摺保持ブラケット２に挿通し、手摺保持ブラケット２を手摺パイプ１の嵌合穴４、４′の位置まで移動させる。  取付部６の貫通穴１０に固定ボルト９を挿通し、固定ブラケット３の雌ネジ部１１と螺合させる。  固定ボルト９を締付けていくと、開放部８の隙間が狭まり、手摺パイプ１の外周面を抱持部５が締付けて手摺パイプ１が手摺保持ブラケット２に固定される。  この時、抱持部５の内面に対向状に設けられた突起７、７′が手摺パイプ１の嵌合穴４、４′と嵌合する。
【００１０】
次に本発明を手摺パイプの継ぎ手部分に適用した実施例を説明する。
図４において符合１、１′は手摺パイプであり、２は手摺パイプ１、１′を挿通抱持する手摺保持ブラケット、３は壁等の設置面Ｗに対して手摺保持ブラケット２を固定する固定ブラケット、１２は連結パイプを示す。
【００１１】
図５から図６で示す様に、連結パイプ１２は手摺パイプ１、１′の内径より若干小さな外径であり、手摺パイプ１、１′の連結部における突き合せ位置を跨いで挿入されている。  手摺パイプ１、１′と連結パイプ１２はそれぞれタッピンネジ１３により締結されている。  手摺パイプ１′は片面端部に切り欠き１４、１４′を有し、対向状に設けている。
【００１２】
手摺保持ブラケット２は環状で手摺パイプ１、１′の外径より若干大きな内径の抱持部５と、手摺保持ブラケット２と固定ブラケット３との固定を行う取付部６、６′から成る。  前記抱持部５は内面に対向状に設けられた突起７、７′と、僅かな隙間を持つ開放部８から形成される。  また、前記取付部６、６′には、手摺保持ブラケット２と固定ブラケット３との固定を行う固定ボルト９を挿通し、取付部６に固定ボルト９の頭部が係る形状の貫通穴１０が設けられている。
【００１３】
固定ブラケット３には、手摺保持ブラケット２の貫通穴１０を挿通した固定ボルト９を螺合して受入れる、雌ネジ部１１が設けられ、手摺パイプ１、１′と手摺保持ブラケット２を壁等の設置面Ｗに固定する。
【００１４】
各部材の取付手順は、手摺パイプ１、１′を連結パイプ１２にそれぞれタッピンネジ１３により締結し一体にする。  図５で示す様に切り欠き１４、１４′と手摺パイプ１の端面が突合わされる事で閉じられて穴状と成る為、切り欠き１４、１４′は図２における手摺パイプ１の嵌合穴４、４′と同等の嵌合穴となる。手摺パイプ１、１′を手摺保持ブラケット２に挿通し、手摺保持ブラケット２を手摺パイプ１′の切り欠き１４、１４′の位置まで移動させる。  取付部６の貫通穴１０に固定ボルト９を挿通し、固定ブラケット３の雌ネジ部１１と螺合させる。  固定ボルト９を締付けていくと、開放部８の隙間が狭まり、手摺パイプ１、１′の外周面を抱持部５が締付けて手摺パイプ１、１′が手摺保持ブラケット２に固定される。  この時、抱持部５の内面に対向状に設けられた突起７、７′が手摺パイプ１′の切り欠き１４、１４′と嵌合する。
【００１５】
次に本発明を手摺パイプの継ぎ手部分に適用した別の実施例を説明する。
図７において符合１、１′は手摺パイプであり、２は手摺パイプ１、１′を挿通抱持する手摺保持ブラケット、３は壁等の設置面Ｗに対して手摺保持ブラケット２を固定する固定ブラケット、１２は連結パイプを示す。
【００１６】
図８で示す様に、連結パイプ１２は手摺パイプ１、１′の内径より若干小さな外径であり、手摺パイプ１、１′の連結部における突き合せ位置を跨いで挿入されている。  手摺パイプ１、１′と連結パイプ１２はそれぞれタッピンネジ１３により締結されている。  手摺パイプ１、１′は突合わせ位置それぞれの端部に切り欠き１４、１４′、１５、１５′を有し、切り欠き１４と切り欠き１４′、切り欠き１５と切り欠き１５′は対向状に設けている。
【００１７】
手摺保持ブラケット２は環状で手摺パイプ１、１’の外径より若干大きな内径の抱持部５と、手摺保持ブラケット２と固定ブラケット３との固定を行う取付部６、６’から成る。  前記抱持部５は内面に対向状に設けられた突起７、７’と、僅かな隙間を持つ開放部８から形成される。  また、前記取付部６、６’には、手摺保持ブラケット２と固定ブラケット３との固定を行う固定ボルト９を挿通し、取付部６に固定ボルト９の頭部が係る形状の貫通穴１０が設けられている。
【００１８】
固定ブラケット３には、手摺保持ブラケット２の貫通穴１０を挿通した固定ボルト９を螺合して受入れる、雌ネジ部１１が設けられ、手摺パイプ１、１′と手摺保持ブラケット２を壁等の設置面Ｗに固定する。
【００１９】
各部材の取付手順は、手摺パイプ１、１′を連結パイプ１２にそれぞれタッピンネジ１３により締結し一体にする。  図８で示す様に切り欠き１４、１４′と１５、１５′が突合わされる事で閉じられて穴状と成る為、切り欠き１４、１４′、１５、１５′は図２における手摺パイプ１の嵌合穴４、４′と同等の嵌合穴となる。  手摺パイプ１、１′を手摺保持ブラケット２に挿通し、手摺保持ブラケット２を手摺パイプ１、１′の切り欠き１４、１４′と切り欠き１５、１５′の位置まで移動させる。  取付部６の貫通穴１０に固定ボルト９を挿通し、固定ブラケット３の雌ネジ部１１と螺合させる。  固定ボルト９を締付けていくと、開放部８の隙間が狭まり、手摺パイプ１、１′の外周面を抱持部５が締付けて手摺パイプ１、１′が手摺保持ブラケット２に固定される。  この時、抱持部５の内面に対向状に設けられた突起７、７′が手摺パイプ１、１′の切り欠き１４、１４′、１５、１５′と嵌合する。
【００２０】
手摺パイプ１の嵌合穴４、４′と手摺保持ブラケット２の環状部内面の突起７、７′の関係は、両者が嵌合する形状で有れば、手摺パイプ１の回転や軸方向のずれを止める事が可能である。  突起７、７′と嵌合穴４、４′の形状は図２、図５、図８で示した以外の変形例を次ぎに示す。
【００２１】
図９、図１０は手摺ブラケット内面の突起７、７′の変形例を示したもので、それぞれ突起７、７′の形状を傾斜状、半円状にしたものである。
【００２２】
図１１から図１３は手摺ブラケット内面の突起７、７′と手摺パイプ１の嵌合穴４、４′の変形例を示したものである。  それぞれ突起７、７′を円柱状、半球状、円錐状とし、手摺パイプ１の嵌合穴４、４′を円形とした。
【００２３】
図１４、図１５は手摺パイプ１の嵌合穴４、４′の変形例を示したもので、図１４は手摺パイプ１の内面に貫通した穴ではなく凹状とし、図１５は嵌合穴４、４′を複数設ける事で、手摺パイプ１の取付角度を任意に選択できる。
【００２４】
【発明の効果】
本発明は、次のような効果を奏する。
（１）  手摺パイプの嵌合穴と手摺保持ブラケット内面の突起を嵌合させて抱持する様にした為、手摺パイプの回転や軸方向のずれを生ずる事が無く、また、多少抱持が緩くてもずれを生じる事が無い。
（２）  手摺パイプを連結させる場合は、連結パイプを挿通して両者を固定する様にしている。  この為、嵌合穴の開設位置は、手摺パイプ単位部材上のみならず、手摺パイプの突き合せ位置から偏せたり、あるいは跨ぐ様に設けるなど、任意の位置に開設出来る。  よって、手摺保持ブラケットで手摺パイプの突き合せ部分を隠し、美観を保つ事が出来る。
【図面の簡単な説明】
【図１】手摺取付装置の配置を示す正面図。
【図２】手摺取付装置の手摺パイプ嵌合穴と手摺保持ブラケットの突起を示す部分欠截斜視図。
【図３】手摺パイプの切り欠きと手摺保持ブラケット突起の嵌合状態を示す側面断面図。
【図４】手摺パイプ連結部における手摺取付装置の配置を示す正面図。
【図５】手摺取付装置の第二実施態様で、手摺パイプ連結部分における、手摺パイプの切り欠きと手摺保持ブラケットの突起を示す部分欠截斜視図。
【図６】手摺パイプ連結部における手摺パイプとブラケットの嵌合状態を示す側面断面図。
【図７】手摺パイプ連結部における手摺取付装置の配置を示す正面図。
【図８】手摺取付装置の第三実施態様で、手摺パイプ連結部分における、手摺パイプの切り欠きと手摺保持ブラケットの突起を示す部分欠截斜視図。
【図９】手摺取付装置の突起と嵌合穴の変形例を示す部分欠截斜視図。
【図１０】手摺取付装置の突起と嵌合穴の変形例を示す部分欠截斜視図。
【図１１】手摺取付装置の突起と嵌合穴の変形例を示す部分欠截斜視図。
【図１２】手摺取付装置の突起と嵌合穴の変形例を示す部分欠截斜視図。
【図１３】手摺取付装置の突起と嵌合穴の変形例を示す部分欠截斜視図。
【図１４】手摺取付装置の嵌合穴の変形例を示す部分欠截斜視図。
【図１５】手摺取付装置の嵌合穴の変形例を示す部分欠截斜視図。
【図１６】従来品の手摺取付装置を示す側面断面図（実開昭４８−９８９２１）
【符号の説明】
ａ            手摺パイプ
ｂ            手摺保持ブラケット
ｃ            固定ブラケット
ｄ、ｄ′      開放部
ｅ            ボルト
Ｗ            壁等の設置面
１、１′      手摺パイプ
２            手摺保持ブラケット
３            固定ブラケット
４、４′      嵌合穴
５            抱持部
６、６′      取付部
７、７′      突起
８            開放部
９            固定ボルト
１０          貫通穴
１１          雌ネジ部
１２          連結パイプ
１３          タッピンネジ
１４、１４′  切り欠き
１５、１５′  切り欠き
【図１】
0003719463.tif 000002
【図２】
0003719463.tif 000003
【図３】
0003719463.tif 000004
【図４】
0003719463.tif 000005
【図５】
0003719463.tif 000006
【図６】
0003719463.tif 000007
【図７】
0003719463.tif 000008
【図８】
0003719463.tif 000009
【図９】
0003719463.tif 000010
【図１０】
0003719463.tif 000011
【図１１】
0003719463.tif 000012
【図１２】
0003719463.tif 000013
【図１３】
0003719463.tif 000014
【図１４】
0003719463.tif 000015
【図１５】
0003719463.tif 000016
【図１６】
0003719463.tif 000017